(57)【要約】【課題】集金を担当する営業員による各代理店からの自賠責保険などの現金あるいは小切手の集金に伴う、事務処理について効率化・削減を行う。【解決手段】本発明にかかる装置等は、保険会社の各営業員に対応する営業員ＩＤ、保険会社の各代理店に対応する代理店ＩＤ、集金件数、集金金額を含む集金情報を登録し、営業員ＩＤ、営業員が当日集金した保険料を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、代理店ＩＤ毎に仮受金番号を採番し入金情報に登録し、仮受金番号が登録された入金情報について精算処理を実行する。【選択図】      図７
2004326320.tif 000002
【特許請求の範囲】
【請求項１】
保険会社の各営業員に対応する営業員ＩＤ、上記保険会社の各代理店に対応する代理店ＩＤ、集金件数、集金金額を含む集金情報を登録する集金情報登録手段と、
上記営業員ＩＤ、営業員が当日集金した保険料を入金した入金専用口座番号、上記入金専用口座番号に対する入金額を含む入金情報を登録する入金情報登録手段と、
上記入金専用口座に対する入金明細情報を取得し、上記営業員ＩＤに基づいて、当該入金明細情報と上記入金情報とを照会する入金情報照会手段と、
上記入金情報照会手段にて正常に照会された場合に、上記代理店ＩＤ毎に仮受金番号を採番し上記入金情報に登録する仮受金番号登録手段と、
上記仮受金番号登録手段にて上記仮受金番号が登録された上記入金情報について精算処理を実行する仮受金精算手段と、
を備えたことを特徴とする保険料入金管理装置。
【請求項２】
上記入金明細情報は、
上記営業員ＩＤ、および、上記入金専用口座に対する入金額に関する情報を含むこと、
を特徴とする請求項１に記載の保険料入金管理装置。
【請求項３】
商品委託者の各営業員に対応する営業員ＩＤ、上記商品委託者の各販売代理者に対応する販売代理者ＩＤ、集金件数、集金金額を含む集金情報を登録する集金情報登録手段と、
上記営業員ＩＤ、営業員が当日集金した商品代金を入金した入金専用口座番号、上記入金専用口座番号に対する入金額を含む入金情報を登録する入金情報登録手段と、
上記入金専用口座に対する入金明細情報を取得し、上記営業員ＩＤに基づいて、当該入金明細情報と上記入金情報とを照会する入金情報照会手段と、
上記入金情報照会手段にて正常に照会された場合に、上記販売代理者ＩＤ毎に仮受金番号を採番し上記入金情報に登録する仮受金番号登録手段と、
上記仮受金番号登録手段にて上記仮受金番号が登録された上記入金情報について精算処理を実行する仮受金精算手段と、
を備えたことを特徴とする商品代金入金管理装置。
【請求項４】
上記入金明細情報は、
上記営業員ＩＤ、および、上記入金専用口座に対する入金額に関する情報を含むこと、
を特徴とする請求項３に記載の商品代金入金管理装置。
【請求項５】
保険会社の各営業員に対応する営業員ＩＤ、上記保険会社の各代理店に対応する代理店ＩＤ、集金件数、集金金額を含む集金情報を登録する集金情報登録ステップと、
上記営業員ＩＤ、営業員が当日集金した保険料を入金した入金専用口座番号、上記入金専用口座番号に対する入金額を含む入金情報を登録する入金情報登録ステップと、
上記入金専用口座に対する入金明細情報を取得し、上記営業員ＩＤに基づいて、当該入金明細情報と上記入金情報とを照会する入金情報照会ステップと、
上記入金情報照会ステップにて正常に照会された場合に、上記代理店ＩＤ毎に仮受金番号を採番し上記入金情報に登録する仮受金番号登録ステップと、
上記仮受金番号登録ステップにて上記仮受金番号が登録された上記入金情報について精算処理を実行する仮受金精算ステップと、
を含むことを特徴とする保険料入金管理方法。
【請求項６】
上記入金明細情報は、
上記営業員ＩＤ、および、上記入金専用口座に対する入金額に関する情報を含むこと、
を特徴とする請求項５に記載の保険料入金管理方法。
【請求項７】
商品委託者の各営業員に対応する営業員ＩＤ、上記商品委託者の各販売代理者に対応する販売代理者ＩＤ、集金件数、集金金額を含む集金情報を登録する集金情報登録ステップと、
上記営業員ＩＤ、営業員が当日集金した商品代金を入金した入金専用口座番号、上記入金専用口座番号に対する入金額を含む入金情報を登録する入金情報登録ステップと、
上記入金専用口座に対する入金明細情報を取得し、上記営業員ＩＤに基づいて、当該入金明細情報と上記入金情報とを照会する入金情報照会ステップと、
上記入金情報照会ステップにて正常に照会された場合に、上記販売代理者ＩＤ毎に仮受金番号を採番し上記入金情報に登録する仮受金番号登録ステップと、
上記仮受金番号登録ステップにて上記仮受金番号が登録された上記入金情報について精算処理を実行する仮受金精算ステップと、
を含むことを特徴とする商品代金入金管理方法。
【請求項８】
上記入金明細情報は、
上記営業員ＩＤ、および、上記入金専用口座に対する入金額に関する情報を含むこと、
を特徴とする請求項７に記載の商品代金入金管理方法。
【請求項９】
保険会社の各営業員に対応する営業員ＩＤ、上記保険会社の各代理店に対応する代理店ＩＤ、集金件数、集金金額を含む集金情報を登録する集金情報登録ステップと、
上記営業員ＩＤ、営業員が当日集金した保険料を入金した入金専用口座番号、上記入金専用口座番号に対する入金額を含む入金情報を登録する入金情報登録ステップと、
上記入金専用口座に対する入金明細情報を取得し、上記営業員ＩＤに基づいて、当該入金明細情報と上記入金情報とを照会する入金情報照会ステップと、
上記入金情報照会ステップにて正常に照会された場合に、上記代理店ＩＤ毎に仮受金番号を採番し上記入金情報に登録する仮受金番号登録ステップと、
上記仮受金番号登録ステップにて上記仮受金番号が登録された上記入金情報について精算処理を実行する仮受金精算ステップと、
を含む保険料入金管理方法をコンピュータに実行させることを特徴とするプログラム。
【請求項１０】
上記入金明細情報は、
上記営業員ＩＤ、および、上記入金専用口座に対する入金額に関する情報を含むこと、
を特徴とする請求項９に記載のプログラム。
【請求項１１】
商品委託者の各営業員に対応する営業員ＩＤ、上記商品委託者の各販売代理者に対応する販売代理者ＩＤ、集金件数、集金金額を含む集金情報を登録する集金情報登録ステップと、
上記営業員ＩＤ、営業員が当日集金した商品代金を入金した入金専用口座番号、上記入金専用口座番号に対する入金額を含む入金情報を登録する入金情報登録ステップと、
上記入金専用口座に対する入金明細情報を取得し、上記営業員ＩＤに基づいて、当該入金明細情報と上記入金情報とを照会する入金情報照会ステップと、
上記入金情報照会ステップにて正常に照会された場合に、上記販売代理者ＩＤ毎に仮受金番号を採番し上記入金情報に登録する仮受金番号登録ステップと、
上記仮受金番号登録ステップにて上記仮受金番号が登録された上記入金情報について精算処理を実行する仮受金精算ステップと、
を含む商品代金入金管理方法をコンピュータに実行させることを特徴とするプログラム。
【請求項１２】
上記入金明細情報は、
上記営業員ＩＤ、および、上記入金専用口座に対する入金額に関する情報を含むこと、
を特徴とする請求項１１に記載のプログラム。
【請求項１３】
上記請求項９から１２のいずれか一つに記載されたプログラムを記録したことを特徴とするコンピュータ読取可能な記録媒体。
【発明の詳細な説明】
【０００１】
【発明の属する技術分野】
本発明は、保険料入金管理装置、商品代金入金管理装置、保険料入金管理方法、商品代金入金管理方法、プログラム、および、記録媒体に関し、特に、集金を担当する営業員による各代理店からの自賠責保険料などの現金あるいは小切手の集金に伴う、事務処理について効率化・削減を行うことができる保険料入金管理装置、商品代金入金管理装置、保険料入金管理方法、商品代金入金管理方法、プログラム、および、記録媒体に関する。
【０００２】
なお、本明細書において、「代理店」の用語は、保険会社が保険契約の維持・獲得や保険料回収などの業務を委託した者の意味で用いており、生命保険や損害保険などを扱う保険会社が個別に業務委託した代理店（代理店が個人の場合には当該個人、また、代理店が法人の場合にはその法人に属する営業担当者など）を含む概念として用いるものとする。
【０００３】
また、本明細書において、「販売代理者」の用語は、商品委託者が商品契約の維持・獲得や商品代金回収などの業務を委託した者の意味で用いており、商品委託者が個別に業務委託した販売代理店（代理店が個人の場合には当該個人、また、代理店が法人の場合にはその法人に属する営業担当者など）を含む概念として用いるものとする。
【０００４】
【従来の技術】
従来より、保険会社は代理店に対して保険契約の維持・獲得や保険料回収業務を委託している。保険契約の維持・獲得情報は、代理店が保険会社の業務システムを利用し、日々逐次情報伝達がなされるが、併せて回収した保険料はその都度保険会社に入金はされず、代理店が保管し、月に１回〜数回、適宜合算して保険会社への入金を行なっている。本来保険契約とその保険料は同時確定が必要であるが、代理店から保険会社への都度入金は、事務負担や送金手数料等の観点から実施できず、上記の対応となっている。また、自賠責保険の場合においては、保険会社（損害保険会社）は、代理店である自動車整備工場、自動車ディラー、カー用品販売店などが回収した保険料を、保険会社の営業員が各代理店を訪問して現金または小切手で回収しているのが一般的である。
【０００５】
ここで、各営業員は各代理店から保険料の回収業務を行い、徴収した保険料を保険会社に持帰り、入金処理する必要がある。
【０００６】
【発明が解決しようとする課題】
しかしながら、このような従来の保険料回収業務は、以下の構造上の基本的問題点を有していた。
【０００７】
まず、保険会社は各営業員に代理店からの滞留保険料の回収の指示を行なっているが、指示の徹底や進捗の確認などに人手と時間と費用がかかるという問題点がある。すなわち、一般に保険会社は、数千から数万の代理店と契約を行い保険に関する業務委託を行うことが通常であるため、各代理店の保険料回収業務の進捗確認などが非常に煩雑になっている。
【０００８】
ここで、営業員は、集金後に保険会社の各営業者などにおいて保険料の収納、精算処理を行う必要があるが、各営業員が集金した多額の現金や小切手を扱うことになり、非常に煩雑であり、多くの人員および時間をかけて事務処理を行う必要がある。
【０００９】
従って、各営業員が代理店から回収した保険料を自分で会社の口座に入金するようにすると、営業所内における現金などを管理する必要がなくなる。
【００１０】
しかしながら、自己の契約口座に代理店から料金の振込みを受けた保険会社は、どの業務に対する振込みであるかを確認することが困難であり、入金の消し込み作業が煩雑であるという問題点がある。すなわち、金融機関の振込みサービスでは、通常、振込者と振込金額しかわからないため、複数の集金業務を営業員に委託した場合には、保険会社においてどの保険料回収業務に対する振込かを特定し帳簿上で入金の消し込みを行うことが困難であった。
【００１１】
なお、これまで説明した従来の技術および発明が解決しようとする課題は、自賠責や生命保険などの保険料回収の場合に限られず、他の全ての商品に関して商品委託者が各販売代理者に商品販売を委託し、商品委託者の営業員が販売代理者から商品代金を回収する場合において、同様に考えることができる。
【００１２】
このように、数々の問題点を有しており、その結果、保険会社（商品委託者）および代理店（販売代理者）のいずれにとっても、利便性が悪く、また、利用効率が悪いものであった。
【００１３】
本発明は上記問題点に鑑みてなされたもので、集金を担当する営業員による各代理店からの自賠責保険料などの現金あるいは小切手の集金に伴う、事務処理について効率化・削減を行うことができる、保険料入金管理装置、商品代金入金管理装置、保険料入金管理方法、商品代金入金管理方法、プログラム、および、記録媒体を提供することを目的としている。
【００１４】
【課題を解決するための手段】
このような目的を達成するために、請求項１に記載の保険料入金管理装置は、保険会社の各営業員に対応する営業員ＩＤ、上記保険会社の各代理店に対応する代理店ＩＤ、集金件数、集金金額を含む集金情報を登録する集金情報登録手段と、上記営業員ＩＤ、営業員が当日集金した保険料を入金した入金専用口座番号、上記入金専用口座番号に対する入金額を含む入金情報を登録する入金情報登録手段と、上記入金専用口座に対する入金明細情報を取得し、上記営業員ＩＤに基づいて、当該入金明細情報と上記入金情報とを照会する入金情報照会手段と、上記入金情報照会手段にて正常に照会された場合に、上記代理店ＩＤ毎に仮受金番号を採番し上記入金情報に登録する仮受金番号登録手段と、上記仮受金番号登録手段にて上記仮受金番号が登録された上記入金情報について精算処理を実行する仮受金精算手段とを備えたことを特徴とする。
【００１５】
この装置によれば、保険会社の各営業員に対応する営業員ＩＤ、保険会社の各代理店に対応する代理店ＩＤ、集金件数、集金金額を含む集金情報を登録し、営業員ＩＤ、営業員が当日集金した保険料を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、代理店ＩＤ毎に仮受金番号を採番し入金情報に登録し、仮受金番号が登録された入金情報について精算処理を実行するので、集金を担当する営業員による各代理店からの自賠責保険などの現金あるいは小切手の集金に伴う、事務処理について効率化・削減を行うことができる。
【００１６】
また、請求項２に記載の保険料入金管理装置は、請求項１に記載の保険料入金管理装置において、上記入金明細情報は、上記営業員ＩＤ、および、上記入金専用口座に対する入金額に関する情報を含むことを特徴とする。
【００１７】
この装置によれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる。
【００１８】
また、本発明は商品代金入金管理装置に関するものであり、請求項３に記載の商品代金入金管理装置は、商品委託者の各営業員に対応する営業員ＩＤ、上記商品委託者の各販売代理者に対応する販売代理者ＩＤ、集金件数、集金金額を含む集金情報を登録する集金情報登録手段と、上記営業員ＩＤ、営業員が当日集金した商品代金を入金した入金専用口座番号、上記入金専用口座番号に対する入金額を含む入金情報を登録する入金情報登録手段と、上記入金専用口座に対する入金明細情報を取得し、上記営業員ＩＤに基づいて、当該入金明細情報と上記入金情報とを照会する入金情報照会手段と、上記入金情報照会手段にて正常に照会された場合に、上記販売代理者ＩＤ毎に仮受金番号を採番し上記入金情報に登録する仮受金番号登録手段と、上記仮受金番号登録手段にて上記仮受金番号が登録された上記入金情報について精算処理を実行する仮受金精算手段とを備えたことを特徴とする。
【００１９】
この装置によれば、商品委託者の各営業員に対応する営業員ＩＤ、商品委託者の各販売代理者に対応する販売代理者ＩＤ、集金件数、集金金額を含む集金情報を登録し、営業員ＩＤ、営業員が当日集金した商品代金を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、販売代理者ＩＤ毎に仮受金番号を採番し入金情報に登録し、仮受金番号が登録された入金情報について精算処理を実行するので、集金を担当する営業員による各販売代理店からの商品代金の現金あるいは小切手の集金に伴う、事務処理について効率化・削減を行うことができる。
【００２０】
また、請求項４に記載の商品代金入金管理装置は、請求項３に記載の商品代金入金管理装置において、上記入金明細情報は、上記営業員ＩＤ、および、上記入金専用口座に対する入金額に関する情報を含むことを特徴とする。
【００２１】
この装置によれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる。
【００２２】
また、本発明は保険料入金管理方法に関するものであり、請求項５に記載の保険料入金管理方法は、保険会社の各営業員に対応する営業員ＩＤ、上記保険会社の各代理店に対応する代理店ＩＤ、集金件数、集金金額を含む集金情報を登録する集金情報登録ステップと、上記営業員ＩＤ、営業員が当日集金した保険料を入金した入金専用口座番号、上記入金専用口座番号に対する入金額を含む入金情報を登録する入金情報登録ステップと、上記入金専用口座に対する入金明細情報を取得し、上記営業員ＩＤに基づいて、当該入金明細情報と上記入金情報とを照会する入金情報照会ステップと、上記入金情報照会ステップにて正常に照会された場合に、上記代理店ＩＤ毎に仮受金番号を採番し上記入金情報に登録する仮受金番号登録ステップと、上記仮受金番号登録ステップにて上記仮受金番号が登録された上記入金情報について精算処理を実行する仮受金精算ステップとを含むことを特徴とする。
【００２３】
この方法によれば、保険会社の各営業員に対応する営業員ＩＤ、保険会社の各代理店に対応する代理店ＩＤ、集金件数、集金金額を含む集金情報を登録し、営業員ＩＤ、営業員が当日集金した保険料を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、代理店ＩＤ毎に仮受金番号を採番し入金情報に登録し、仮受金番号が登録された入金情報について精算処理を実行するので、集金を担当する営業員による各代理店からの自賠責保険などの現金あるいは小切手の集金に伴う、事務処理について効率化・削減を行うことができる。
【００２４】
また、請求項６に記載の保険料入金管理方法は、請求項５に記載の保険料入金管理方法において、上記入金明細情報は、上記営業員ＩＤ、および、上記入金専用口座に対する入金額に関する情報を含むことを特徴とする。
【００２５】
この方法によれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる。
【００２６】
また、本発明は商品代金入金管理方法に関するものであり、請求項７に記載の商品代金入金管理方法は、商品委託者の各営業員に対応する営業員ＩＤ、上記商品委託者の各販売代理者に対応する販売代理者ＩＤ、集金件数、集金金額を含む集金情報を登録する集金情報登録ステップと、上記営業員ＩＤ、営業員が当日集金した商品代金を入金した入金専用口座番号、上記入金専用口座番号に対する入金額を含む入金情報を登録する入金情報登録ステップと、上記入金専用口座に対する入金明細情報を取得し、上記営業員ＩＤに基づいて、当該入金明細情報と上記入金情報とを照会する入金情報照会ステップと、上記入金情報照会ステップにて正常に照会された場合に、上記販売代理者ＩＤ毎に仮受金番号を採番し上記入金情報に登録する仮受金番号登録ステップと、上記仮受金番号登録ステップにて上記仮受金番号が登録された上記入金情報について精算処理を実行する仮受金精算ステップとを含むことを特徴とする。
【００２７】
この方法によれば、商品委託者の各営業員に対応する営業員ＩＤ、商品委託者の各販売代理者に対応する販売代理者ＩＤ、集金件数、集金金額を含む集金情報を登録し、営業員ＩＤ、営業員が当日集金した商品代金を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、販売代理者ＩＤ毎に仮受金番号を採番し入金情報に登録し、仮受金番号が登録された入金情報について精算処理を実行するので、集金を担当する営業員による各販売代理店からの商品代金の現金あるいは小切手の集金に伴う、事務処理について効率化・削減を行うことができる。
【００２８】
また、請求項８に記載の商品代金入金管理方法は、請求項７に記載の商品代金入金管理方法において、上記入金明細情報は、上記営業員ＩＤ、および、上記入金専用口座に対する入金額に関する情報を含むことを特徴とする。
【００２９】
この方法によれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる。
【００３０】
また、本発明はプログラムに関するものであり、請求項９に記載の保険料入金管理方法をコンピュータに実行させることを特徴とするプログラムは、保険会社の各営業員に対応する営業員ＩＤ、上記保険会社の各代理店に対応する代理店ＩＤ、集金件数、集金金額を含む集金情報を登録する集金情報登録ステップと、上記営業員ＩＤ、営業員が当日集金した保険料を入金した入金専用口座番号、上記入金専用口座番号に対する入金額を含む入金情報を登録する入金情報登録ステップと、上記入金専用口座に対する入金明細情報を取得し、上記営業員ＩＤに基づいて、当該入金明細情報と上記入金情報とを照会する入金情報照会ステップと、上記入金情報照会ステップにて正常に照会された場合に、上記代理店ＩＤ毎に仮受金番号を採番し上記入金情報に登録する仮受金番号登録ステップと、上記仮受金番号登録ステップにて上記仮受金番号が登録された上記入金情報について精算処理を実行する仮受金精算ステップとを含むことを特徴とする。
【００３１】
このプログラムによれば、保険会社の各営業員に対応する営業員ＩＤ、保険会社の各代理店に対応する代理店ＩＤ、集金件数、集金金額を含む集金情報を登録し、営業員ＩＤ、営業員が当日集金した保険料を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、代理店ＩＤ毎に仮受金番号を採番し入金情報に登録し、仮受金番号が登録された入金情報について精算処理を実行するので、集金を担当する営業員による各代理店からの自賠責保険などの現金あるいは小切手の集金に伴う、事務処理について効率化・削減を行うことができる。
【００３２】
また、請求項１０に記載のプログラムは、請求項９に記載のプログラムにおいて、上記入金明細情報は、上記営業員ＩＤ、および、上記入金専用口座に対する入金額に関する情報を含むことを特徴とする。
【００３３】
このプログラムによれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる。
【００３４】
また、請求項１１に記載の商品代金入金管理方法をコンピュータに実行させることを特徴とするプログラムは、商品委託者の各営業員に対応する営業員ＩＤ、上記商品委託者の各販売代理者に対応する販売代理者ＩＤ、集金件数、集金金額を含む集金情報を登録する集金情報登録ステップと、上記営業員ＩＤ、営業員が当日集金した商品代金を入金した入金専用口座番号、上記入金専用口座番号に対する入金額を含む入金情報を登録する入金情報登録ステップと、上記入金専用口座に対する入金明細情報を取得し、上記営業員ＩＤに基づいて、当該入金明細情報と上記入金情報とを照会する入金情報照会ステップと、上記入金情報照会ステップにて正常に照会された場合に、上記販売代理者ＩＤ毎に仮受金番号を採番し上記入金情報に登録する仮受金番号登録ステップと、上記仮受金番号登録ステップにて上記仮受金番号が登録された上記入金情報について精算処理を実行する仮受金精算ステップとを含むことを特徴とする。
【００３５】
このプログラムによれば、商品委託者の各営業員に対応する営業員ＩＤ、商品委託者の各販売代理者に対応する販売代理者ＩＤ、集金件数、集金金額を含む集金情報を登録し、営業員ＩＤ、営業員が当日集金した商品代金を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、販売代理者ＩＤ毎に仮受金番号を採番し入金情報に登録し、仮受金番号が登録された入金情報について精算処理を実行するので、集金を担当する営業員による各販売代理店からの商品代金の現金あるいは小切手の集金に伴う、事務処理について効率化・削減を行うことができる。
【００３６】
また、請求項１２に記載のプログラムは、請求項１１に記載のプログラムにおいて、上記入金明細情報は、上記営業員ＩＤ、および、上記入金専用口座に対する入金額に関する情報を含むことを特徴とする。
【００３７】
このプログラムによれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる。
【００３８】
また、本発明は記録媒体に関するものであり、請求項１３に記載の記録媒体は、上記請求項９から１２のいずれか一つに記載されたプログラムを記録したことを特徴とする。
【００３９】
この記録媒体によれば、当該記録媒体に記録されたプログラムをコンピュータに読み取らせて実行することによって、請求項９から１２のいずれか一つに記載されたプログラムをコンピュータを利用して実現することができ、これら各プログラムと同様の効果を得ることができる。
【００４０】
【発明の実施の形態】
以下に、本発明にかかる保険料入金管理装置、商品代金入金管理装置、保険料入金管理方法、商品代金入金管理方法、プログラム、および、記録媒体の実施の形態を図面に基づいて詳細に説明する。なお、この実施の形態によりこの発明が限定されるものではない。
【００４１】
特に、以下の実施の形態においては、本発明を、保険料入金管理装置、保険料入金管理方法、プログラム、および、記録媒体に適用した例について説明するが、この場合に限られず、商品代金入金管理装置、商品代金入金管理方法、プログラム、および、記録媒体において、同様に適用することができる。
【００４２】
すなわち、以下の実施の形態においては、「商品」として自賠責保険などの「各種保険」を適用し、「商品代金」として「保険料」を適用し、「商品委託者」として「保険会社」を適用し、「販売代理者」として「代理店」を適用する場合を一例として説明するが、本発明はこの場合に限定されない。
【００４３】
［本発明の概要］
以下、保険料入金管理システム（以下、「本システム」という。）の概要について説明し、その後、本システムの構成および処理等について詳細に説明する。図１は、本発明が適用される本システムの全体構成の一例を示す図であり、該構成のうち本発明に関係する部分のみを概念的に示している。
【００４４】
本システムは、概略的に、保険会社（商品委託者）の営業員が各代理店（販売代理者）から回収した保険料（商品代金）に関する情報を処理する保険料入金管理装置（商品代金入金管理装置）１００と、代理店（販売代理者）に対して保険料回収を行う営業員が所持する営業員用情報端末装置である営業員用クライアント装置２００と、保険会社（商品委託者）の保険会社用情報端末装置である保険会社（商品委託者）用クライアント装置２５０と、金融機関システム４００とを、ネットワーク３００を介して通信可能に接続して構成されている。
【００４５】
このシステムは、概略的に、以下の基本的特徴を有する。すなわち、保険料入金管理装置１００は、保険会社の各営業員に対応する営業員ＩＤ、保険会社の各代理店に対応する代理店ＩＤ、営業員用クライアント装置２００から送信された集金件数および集金金額を含む集金情報を登録し、営業員ＩＤ、営業員が当日集金した保険料を金融機関システム４００に入金した入金専用口座番号、入金専用口座番号に対する営業員用クライアント装置２００から送信された入金額を含む入金情報を登録し、入金専用口座に対する入金明細情報を金融機関システム４００から取得し、営業員ＩＤに基づいて、当該入金明細情報と入金情報とを照会し、正常に照会された場合に、代理店ＩＤ毎に仮受金番号を採番し入金情報に登録し、仮受金番号が登録された入金情報について精算処理を保険会社用クライアント装置２５０に対して実行する。
【００４６】
また、営業員用クライアント装置２００は、保険会社の各代理店に対応する集金件数および集金金額を含む集金情報を保険料入金管理装置１００に対して送信し、入金専用口座番号に対する入金額を含む入金情報を保険料入金管理装置１００に対して送信する。
【００４７】
また、保険会社用クライアント装置２５０は、保険料回収を行なう営業所や営業員の保険料回収情報を確認し、入金専用口座の入金状況を金融機関システム４００に対して照会し入金消しこみを行い、また、保険料入金管理装置１００に対して入金専用口座から保険会社契約口座に振替えることを指示する。
【００４８】
また、金融機関システム４００は、ネットワーク３００経由の依頼により、代理店が回収結果報告情報にて指定した回収金額を入金した入金専用口座と、保険会社が契約する保険会社契約口座との間で振替を行う機能を有する。また、ネットワーク３００経由の依頼により、入金専用口座および保険会社契約口座の入金や入金確認（残高照会）などの一般的な金融サービスを提供する機能などを有する。ここで、金融機関システム４００は、銀行や信用金庫や郵便貯金などの金融機関が提供するシステムであって、インターネットやｉモード（サービス名）などのネットワーク３００経由で振替や残高照会などができるものであれば、いずれのシステムであってもよい。
【００４９】
ここで、金融機関システム４００が提供する入金専用口座のサービス概要は、同一の口座に何枚でも必要なだけのカード・通帳を発行できるものであり、カード・通帳毎に担当者コードが付加でき、誰が入金を行ったかを識別することが可能な口座を提供するものである。
【００５０】
保険会社（商品委託者）は、各営業員毎に一意に付与した営業員ＩＤを、各営業員に渡した入金専用口座のカード・通帳の担当者コードと対応付けて管理することにより、どの営業員が入金を行ったかを識別する。
【００５１】
［システム構成］
以下、このような基本的特徴を具現化するための、本システムの構成について説明する。
【００５２】
（システム構成−保険料入金管理装置１００）
まず、保険料入金管理装置１００の構成について説明する。
【００５３】
図２は、本発明が適用される保険料入金管理装置１００の構成の一例を示すブロック図であり、該構成のうち本発明に関係する部分のみを概念的に示している。
【００５４】
図２において、保険料入金管理装置１００は、概略的に、保険料入金管理装置１００の全体を統括的に制御するＣＰＵ等の制御部１０２、通信回線等に接続されるルータ等の通信装置（図示せず）に接続される通信制御インターフェース部１０４、入力装置１１２や出力装置１１４に接続される入出力制御インターフェース部１０８、および、各種のデータベースやテーブルなどを格納する記憶部１０６を備えて構成されており、これら各部は任意の通信路を介して通信可能に接続されている。さらに、この保険料入金管理装置１００は、ルータ等の通信装置および専用線等の有線または無線の通信回線を介して、ネットワーク３００に通信可能に接続されている。
【００５５】
記憶部１０６に格納される各種のデータベースやテーブル（保険会社管理データベース１０６ａ〜保険料回収情報管理データベース１０６ｃなど）は、固定ディスク装置等のストレージ手段であり、各種処理に用いる各種のプログラムやテーブルやファイルやデータベースやウェブページ用ファイル等を格納する。
【００５６】
これら記憶部１０６の各構成要素のうち、保険会社管理データベース１０６ａは、保険会社に関する情報（保険会社情報）を格納する保険会社情報格納手段である。図３は、保険会社管理データベース１０６ａに格納される保険会社情報の一例を示す図である。
【００５７】
この保険会社管理データベース１０６ａに格納される情報は、図３に示すように、各保険会社を一意に識別するための保険会社ＩＤ、各保険会社の名称、各保険会社の連絡先、各保険会社の電子メールアドレス、各保険会社の契約する銀行口座などの契約口座番号、入金専用口座番号などを相互に関連付けて構成されている。
【００５８】
また、営業員管理データベース１０６ｂは、営業員に関する情報（営業員情報）を格納する営業員情報格納手段である。図４は、営業員管理データベース１０６ｂに格納される営業員情報の一例を示す図である。
【００５９】
この営業員管理データベース１０６ｂに格納される情報は、図４に示すように、各営業員を一意に識別するための営業員ＩＤ、各営業員の名称、各営業員の連絡先、各営業員の属するグループＩＤ、各営業員の電子メールアドレス、入金専用口座番号などを相互に関連付けて構成されている。
【００６０】
また、保険料回収情報管理データベース１０６ｃは、保険会社から代理店に委託される保険料回収業務に関する情報（保険料回収情報）を格納する保険料回収情報格納手段であり、保険料回収指示情報格納手段、および、回収結果報告情報格納手段として機能する。図５は、保険料回収情報管理データベース１０６ｃに格納される情報の一例を示す図である。
【００６１】
この保険料回収情報管理データベース１０６ｃに格納される情報は、図５に示すように、保険料回収情報を一意に識別するための保険料回収情報ＩＤ、保険会社により作成される保険料回収指示情報、代理店により作成される回収結果報告情報などを相互に関連付けて構成されている。
【００６２】
ここで、「保険料回収情報」は、保険会社ＩＤ、営業員ＩＤ、代理店ＩＤ、代理店名、保険者（名称、住所など）、保険者の契約内容、回収対象の保険料、保険料の受取方法、入金専用口座への入金期日などを含んで構成される。
【００６３】
また、「回収結果報告情報」は、保険料の回収日、保険料の回収方法、回収金額、入金専用口座へ回収金額を入金した入金日、入金完了の通知（入金済みか否かなど）、口座情報、仮受金番号などを含んで構成されている。
【００６４】
ここで、「回収金額」は、通常は回収対象の保険料であるが、保険者で値引きや製品の瑕疵などにより金額が変動する場合には、最終的に請求した金額を依頼先で入力する。
【００６５】
また、その他の情報として、保険料入金管理装置１００の記憶部１０６には、ウェブサイトを営業員用クライアント装置２００や保険会社用クライアント装置２５０に提供するための各種のＷＥＢページデータやＣＧＩプログラム等が記憶されている。
【００６６】
このＷＥＢページデータとしては、後述する各種のＷＥＢページを表示するためのデータ等があり、これらデータは、例えば、ＨＴＭＬやＸＭＬにて記述されたテキストファイルとして形成されている。また、これらＷＥＢページデータを作成するための部品用のファイルや作業用のファイルやその他一時的なファイル等も記憶部１０６に記憶される。
【００６７】
この他、必要に応じて、営業員用クライアント装置２００および保険会社用クライアント装置２５０に送信するための音声をＷＡＶＥ形式やＡＩＦＦ形式の如き音声ファイルで格納したり、静止画や動画をＪＰＥＧ形式やＭＰＥＧ２形式の如き画像ファイルで格納したりすることができる。
【００６８】
また、図２において、通信制御インターフェース部１０４は、保険料入金管理装置１００とネットワーク３００（またはルータ等の通信装置）との間における通信制御を行う。すなわち、通信制御インターフェース部１０４は、他の端末と通信回線を介してデータを通信する機能を有する。
【００６９】
また、図２において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する場合がある）。また、入力装置１１２としては、キーボード、マウス、および、マイク等を用いることができる。また、モニタも、マウスと協働してポインティングデバイス機能を実現する。
【００７０】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、集金情報登録部１０２ａ、入金情報登録部１０２ｂ、入金情報照会部１０２ｃ、仮受金番号登録部１０２ｄ、および、仮受金精算部１０２ｅなどを備えて構成されている。
【００７１】
このうち、集金情報登録部１０２ａは、保険会社の各営業員に対応する営業員ＩＤ、保険会社の各代理店に対応する代理店ＩＤ、集金件数、集金金額を含む集金情報を登録する集金情報登録手段である。
【００７２】
また、入金情報登録部１０２ｂは、営業員ＩＤ、営業員が当日集金した保険料を入金した入金専用口座番号、入金専用口座番号に対する入金額を含む入金情報を登録する入金情報登録手段である。
【００７３】
また、入金情報照会部１０２ｃは、入金専用口座に対する入金明細情報を取得し、営業員ＩＤに基づいて、当該入金明細情報と入金情報とを照会する入金情報照会手段である。
【００７４】
また、仮受金番号登録部１０２ｄは、入金情報照会部１０２ｃにて正常に照会された場合に、代理店ＩＤ毎に仮受金番号を採番し入金情報に登録する仮受金番号登録手段である。
【００７５】
また、仮受金精算部１０２ｅは、仮受金番号登録部１０２ｄにて仮受金番号が登録された入金情報について精算処理を実行する仮受金精算手段である。
【００７６】
なお、これら各部によって行なわれる処理の詳細については、後述する。
【００７７】
（システム構成−営業員用クライアント装置２００、保険会社用クライアント装置２５０）
つぎに、営業員用クライアント装置２００、保険会社用クライアント装置２５０の構成について説明する。なお、営業員用クライアント装置２００と保険会社用クライアント装置２５０は相互にほぼ同一に構成することができるので、ここでは説明の便宜上、営業員用クライアント装置２００について説明することとし、保険会社用クライアント装置２５０に特に適用される部分の説明は特記する。
【００７８】
図６は、本発明が適用される営業員用クライアント装置２００（保険会社用クライアント装置２５０）の構成の一例を示すブロック図であり、該構成のうち本発明に関係する部分のみを概念的に示している。
【００７９】
この図６に示すように、営業員用クライアント装置２００は、概略的には、制御部２１０、ＲＯＭ２２０、ＨＤ２３０、ＲＡＭ２４０、入力装置２９０、出力装置２６０、入出力制御ＩＦ２７０、および、通信制御ＩＦ２８０を備えて構成されており、これら各部がバスを介してデータ通信可能に接続されている。
【００８０】
この営業員用クライアント装置２００の制御部２１０は、ＷＥＢブラウザ２１１および電子メーラ２１２を備えて構成されている。このうち、ＷＥＢブラウザ２１１は、基本的には、ＷＥＢデータを解釈して、後述するモニタ２６１に表示させる表示制御（ブラウズ処理）を行うものである。また、ＷＥＢブラウザ２１１は、ストリーム映像の受信、表示、フィードバック等を行う機能を備えたストリームプレイヤ等の各種のソフトウェアをプラグインしてもよい。
【００８１】
また、電子メーラ２１２は、所定の通信規約（例えば、ＳＭＴＰ（Ｓｉｍｐｌｅ  Ｍａｉｌ  Ｔｒａｎｓｆｅｒ  Ｐｒｏｔｏｃｏｌ）やＰＯＰ３（Ｐｏｓｔ  Ｏｆｆｉｃｅ  Ｐｒｏｔｏｃｏｌ  ｖｅｒｓｉｏｎ  ３）等）に従って、電子メールの送受信を行う。
【００８２】
ここで、営業員用クライアント装置２００の制御部２１０は、保険料回収を行う代理店に対する保険料回収指示情報を送信する保険料回収指示情報送信手段、保険料回収指示情報受信手段にて受信した保険料回収指示情報に対応する回収結果報告に関する情報であって、代理店が少なくとも回収金額に関する情報を指定した回収結果報告情報を保険料入金管理装置１００に対して送信する回収結果報告情報送信手段である。
【００８３】
また、保険会社用クライアント装置２５０の制御部２１０は、保険料回収を行う代理店に対する保険料回収指示情報を保険料入金管理装置１００に対して送信する保険料回収指示情報送信手段、入金専用口座の入金状況を金融機関システム４００に対して照会する入金状況照会手段、保険料入金管理装置１００に格納された回収結果報告情報を取得する回収結果報告情報取得手段、入金状況照会手段により照会された入金専用口座の入金状況と回収結果報告情報取得手段により取得された回収結果報告情報の回収金額とを比較して代理店による入金状況を確認する入金状況確認手段、保険料入金管理装置１００に対して振込依頼指示を送信する振込依頼指示手段、および、代理店が回収結果報告情報にて指定した回収金額を入金した入金専用口座から保険会社が契約する保険会社契約口座に当該回収金額の振替が完了したことを通知する振替完了通知を保険料入金管理装置１００から受信して入金の消し込みを行う入金消込手段である。
【００８４】
また、入力装置２９０としては、キーボード、マウス、および、マイク等を用いることができる。また、後述するモニタ２６１も、マウスと協働してポインティングデバイス機能を実現する。
【００８５】
また、出力装置２６０としては、モニタ（家庭用テレビを含む）２６１、および、プリンタ２６２が設けられている。この他、出力装置２６０としては、スピーカ等を用いることができる。出力装置２６０は、通信制御ＩＦ２８０を介して受信された情報を出力する出力手段である。
【００８６】
また、通信制御ＩＦ２８０は、営業員用クライアント装置２００とネットワーク３００（またはルータ等の通信装置）との間における通信制御を行う。この通信制御ＩＦ２８０は、保険料入金管理装置１００から送信された情報を受信する受信手段であり、保険料回収指示情報を受信する保険料回収指示情報受信手段である。
【００８７】
このように構成された営業員用クライアント装置２００は、モデム、ＴＡ、ルータ等の通信装置と電話回線を介して、あるいは、専用線を介して、ネットワーク３００に接続されており、所定の通信規約（例えば、ＴＣＰ／ＩＰインターネットプロトコル）に従って保険料入金管理装置１００にアクセスすることができる。
【００８８】
（システム構成−ネットワーク３００）
つぎに、ネットワーク３００の構成について説明する。ネットワーク３００は、保険料入金管理装置１００と営業員用クライアント装置２００と保険会社用クライアント装置２５０と金融機関システム４００とを相互に接続する機能を有し、例えば、インターネット等である。
【００８９】
（システム構成−金融機関システム４００）
つぎに、金融機関システム４００の構成について説明する。金融機関システム４００は、ネットワーク３００を介して、保険料入金管理装置１００と営業員用クライアント装置２００と保険会社用クライアント装置２５０とに相互に接続され、利用者に対して口座管理（預け入れ、引き出し、照会等）、口座振替等の金融サービスを行うウェブサイトを提供する機能を有する。
【００９０】
ここで、金融機関システム４００は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。
【００９１】
また、以下に説明する金融機関システム４００の各機能は、金融機関システム４００のハードウェア構成中のＣＰＵ、ディスク装置、メモリ装置、入力装置、出力装置、通信制御装置等およびそれらを制御するプログラム等により実現される。
【００９２】
［システムの処理］
次に、このように構成された本実施の形態における本保険料入金管理システムの処理の一例について、以下に図７等を参照して詳細に説明する。なお、以下の実施例において、営業員用クライアント装置２００のモニタ２６１に表示される各種の画面情報は、特記しない限り保険料入金管理装置１００が作成して営業員用クライアント装置２００に送信している場合を一例に説明するが、本発明はこの場合に限定されるものではなく、営業員用クライアント装置２００の記憶部に予め画面情報を格納しておき、営業員用クライアント装置２００の制御部２１０の制御により必要な画面情報を適宜読み出して表示してもよい。
【００９３】
（メイン処理）
まず、メイン処理の詳細について図７を参照して説明する。図７は、本実施形態における本保険料入金管理システムのメイン処理の一例を示すフローチャートである。
【００９４】
まず、保険料入金管理装置１００は、制御部１０２の処理により、営業員が担当する代理店を選択する画面（代理店選択画面）を、当該営業員が所持する営業員用クライアント装置２００の出力装置２６０（例えば、モニタ２６１など）に表示する。
【００９５】
ここで、代理店選択画面について、図８を参照して説明する。
【００９６】
図８は、本実施形態における代理店選択画面の一例を示す図である。
【００９７】
図８に示すように、代理店選択画面は、代理店を選択する代理店選択ボタン群ＭＡ−１で構成されている。
【００９８】
ついで、営業員は、営業員用クライアント装置２００の入力装置２９０を介して、営業員用クライアント装置２００の出力装置２６０（例えば、モニタ２６１など）に表示された代理店選択画面の代理店選択ボタン群ＭＡ−１から代理店を選択する。
【００９９】
ついで、保険料入金管理装置１００は、制御部１０２の処理により、選択された代理店に対する集金情報（例えば、集金件数、受取金額など）を登録する画面（集金情報登録画面）を、営業員用クライアント装置２００の出力装置２６０（例えば、モニタ２６１など）に表示する。
【０１００】
ここで、集金情報登録画面について、図９を参照して説明する。
【０１０１】
図９は、本実施形態における集金情報登録画面の一例を示す図である。
【０１０２】
図９に示すように、集金情報登録画面は、選択された代理店からの集金件数を入力する集金件数入力領域ＭＢ−１と、当該代理店からの受取金額を入力する受取金額入力領域ＭＢ−２と、集金件数入力領域ＭＢ−１および受取金額入力領域ＭＢ−２に入力された情報を確定する確定ボタンＭＢ−３とで構成されている。
【０１０３】
ついで、営業員は、営業員用クライアント装置２００の入力装置２９０を介して、営業員用クライアント装置２００の出力装置２６０（例えば、モニタ２６１など）に表示された集金情報登録画面の集金件数入力領域ＭＢ−１および受取金額入力領域ＭＢ−２にそれぞれ、集金件数および受取金額を入力して、確定ボタンＭＢ−３を押し、保険料入金管理装置１００に対して代理店ごとの集金情報の登録を指示する。
【０１０４】
ついで、保険料入金管理装置１００は、集金情報登録部１０２ａの処理により、営業員用クライアント装置２００から登録指示された、代理店ごとの集金情報を登録する（ステップＳＡ−１）。
【０１０５】
ついで、営業員は、金融機関システム４００の入金専用口座を用いて入金する（ステップＳＡ−２）。
【０１０６】
ついで、保険料入金管理装置１００は、入金情報登録部１０２ｂの処理により、入金完了通知画面の入金合計額表示領域ＭＤ−１に表示された入金情報（例えば、入金完了通知（例えば、入金済みか否かなど）など）を登録する（ステップＳＡ−３）。
【０１０７】
すなわち、保険料入金管理装置１００は、入金情報登録部１０２ｂの処理により、ステップＳＡ−１にて登録された集金情報に基づいて、代理店ごとの受取金額を営業員用クライアント装置２００の出力装置２６０（例えば、モニタ２６１など）に表示する。
【０１０８】
ここで、代理店ごとの受取金額を表示する画面（代理店別受取金額表示画面）について、図１０を参照して説明する。
【０１０９】
図１０は、本実施形態における代理店別受取金額表示画面の一例を示す図である。
【０１１０】
図１０に示すように、代理店別受取金額表示画面は、代理店ごとの受取金額を表示する受取金額表示領域ＭＣ−１と、後述する入金完了を通知する画面（入金完了通知画面）を表示する通知画面表示ボタンＭＣ−２とで構成されている。
【０１１１】
ついで、営業員は、営業員用クライアント装置２００の入力装置２９０を介して、営業員用クライアント装置２００の出力装置２６０（例えば、モニタ２６１など）に表示された代理店別受取金額表示画面の通知画面表示ボタンＭＣ−２を押し、保険料入金管理装置１００に対して入金完了通知画面の表示を指示する。
【０１１２】
ついで、保険料入金管理装置１００は、入金情報登録部１０２ｂの処理により、営業員用クライアント装置２００から表示指示された入金完了通知画面を、営業員用クライアント装置２００の出力装置２６０（例えば、モニタ２６１など）に表示する。
【０１１３】
ここで、入金完了通知画面について、図１１を参照して説明する。
【０１１４】
図１１は、本実施形態における入金完了通知画面の一例を示す図である。
【０１１５】
図１１に示すように、入金完了通知画面は、営業員が担当するすべての代理店の入金合計額を、集金方法（例えば、現金、小切手など）ごとに表示する入金合計額表示領域ＭＤ−１と、保険料入金管理装置１００に対して入金完了を指示する入金完了ボタンＭＤ−２とで構成されている。
【０１１６】
ついで、営業員は、営業員用クライアント装置２００の入力装置２９０を介して、営業員用クライアント装置２００の出力装置２６０（例えば、モニタ２６１など）に表示された入金完了通知画面の入金完了ボタンＭＤ−２を押し、保険料入金管理装置１００に対して入金完了を指示する。
【０１１７】
ついで、保険料入金管理装置１００は、入金情報照会部１０２ｃの処理により、営業員ＩＤに基づいてステップＳＡ−３にて登録された入金情報と、入金専用口座情報（入金明細情報）とを照会する（ステップＳＡ−４）。
【０１１８】
ついで、ステップＳＡ−４にて登録された入金情報と、入金専用口座情報（入金明細情報）とが一致する場合、すなわち正常に照会された場合（ステップＳＡ−５）、保険料入金管理装置１００は、仮受金番号登録部１０２ｄの処理により、代理店ごとの仮受金番号を採番する（ステップＳＡ−６）。
【０１１９】
また、ステップＳＡ−３にて登録された入金情報と、入金専用口座情報（入金明細情報）とが一致しない場合、すなわち正常に照会されない場合（ステップＳＡ−５）、保険料入金管理装置１００は、制御部１０２の処理により、入金情報を修正する（ステップＳＡ−７）。
【０１２０】
（入金情報照会・仮受金番号採番処理）
ここで、ステップＳＡ−４からステップＳＡ−７の処理（入金情報照会・仮受金番号採番処理）について、図１２から図１６を参照して詳細に説明する。
【０１２１】
まず、説明に用いる図である図１２から図１６について説明する。なお、本実施形態においては照会対象の営業所課を利用者の権限により４段階（１．保険会社管理部門、２．出納担当の営業所課、３．各営業所課、４．各営業員）に区別した場合について説明する。
【０１２２】
図１２は、本実施形態における保険会社管理部門内の出納担当の営業所課の入金処理状況を照会する画面（保険会社管理部門の入金処理状況照会画面）の一例を示す図である。
【０１２３】
図１２に示すように、保険会社管理部門の入金処理状況照会画面は、保険会社管理部門における出納担当の営業所課を予め決められたグループごとに表示し、明細照会する出納担当の営業所課を選択する出納担当営業所課表示選択領域ＭＥ−１と、出納担当営業所課表示選択領域ＭＥ−１にて選択された出納担当の営業所課の入金処理の明細を照会する明細照会ボタンＭＥ−２とで構成されている。
【０１２４】
また、図１３は、本実施形態における出納担当の営業所課内の営業所課の入金処理状況を照会する画面（出納担当の営業所課の入金処理状況照会画面）の一例を示す図である。
【０１２５】
図１３に示すように、出納担当の営業所課の入金処理状況照会画面は、図１２の出納担当営業所課表示選択領域ＭＥ−１にて選択された出納担当の営業所課内の営業所課を表示し、明細照会する営業所課を選択する営業所課表示選択領域ＭＦ−１と、営業所課表示選択領域ＭＦ−１にて選択された営業所課の入金処理の明細を照会する明細照会ボタンＭＦ−２とで構成されている。
【０１２６】
また、図１４は、本実施形態における営業所課の入金処理状況を照会する画面（営業所課の入金処理状況照会画面）の一例を示す図である。
【０１２７】
図１４に示すように、営業所課の入金処理状況照会画面は、図１３の営業所課表示選択領域ＭＦ−１にて選択された営業所課名を表示する営業所課名表示領域ＭＧ−１と、検索対象の処理日を指定する処理日指定領域と検索対象の範囲を選択する検索範囲選択ボタンと検索を指示する検索ボタンとを含む検索条件選択領域ＭＧ−２と、合計金額を現金および小切手ごとに表示する合計金額表示領域ＭＧ−３と、代理店名を表示する代理店名表示領域ＭＧ−４と、営業員名を表示する営業員名表示領域ＭＧ−５と、営業員のＩＤを表示する営業員ＩＤ表示領域ＭＧ−６と、集金件数を表示する集金件数表示領域ＭＧ−７と、現金で集金した金額を表示する現金金額表示領域ＭＧ−８と、小切手で集金した金額を表示する小切手金額表示領域ＭＧ−９と、入金完了通知（例えば、入金済みか否かなど）を表示する入金完了通知領域ＭＧ−１０と、口座情報（例えば、入金情報と入金専用口座情報（入金明細情報）とが一致しているか否かなど）を表示する口座情報表示領域ＭＧ−１１と、仮受金番号を表示する仮受金番号表示領域ＭＧ−１２とで構成されている。
【０１２８】
また、図１５は、本実施形態における営業所課の入金処理状況を照会する画面（営業所課の入金処理状況照会画面）の別の一例を示す図である。
【０１２９】
図１５に示すように、営業所課の入金処理状況照会画面は、図１３の営業所課表示選択領域ＭＦ−１にて選択された営業所課名を表示する営業所課名表示領域ＭＨ−１と、検索対象の処理日を指定する処理日指定領域と検索対象の範囲を選択する検索範囲選択ボタンとを含む検索条件選択領域ＭＨ−２と、検索を指示する検索ボタンＭＨ−３と、現金の合計金額を表示する合計金額表示領域ＭＨ−４と、代理店名を表示する代理店名表示領域ＭＨ−５と、営業員名を表示する営業員名表示領域ＭＨ−６と、営業員のＩＤを表示する営業員ＩＤ表示領域ＭＨ−７と、集金件数を表示する集金件数表示領域ＭＨ−８と、現金で集金した金額を表示する現金金額表示領域ＭＨ−９と、入金完了通知（例えば、入金済みか否かなど）を表示する入金完了通知領域ＭＧ−１０と、入金時に受取る利用明細の入金金額と現金金額表示領域ＭＨ−９との一致が確認済みであるか否かを表示する入金承認領域ＭＨ−１１と、仮受金番号を表示する仮受金番号表示領域ＭＨ−１２と、入金承認領域ＭＨ−１１に基づいて仮受金番号の採番を指示する仮受金番号採番ボタンＭＨ−１３とで構成されている。
【０１３０】
また、図１６は、本実施形態における入金専用口座の入金明細を照会する画面（入金専用口座入金明細照会画面）の一例を示す図である。
【０１３１】
図１６に示すように、入金専用口座入金明細照会画面は、営業所課名を表示する営業所課名表示領域ＭＪ−１と、当日扱いの現金での集金の件数および合計金額、小切手での集金の件数および合計金額、手数料の合計金額を表示する合計金額表示領域ＭＪ−２と、日付を表示する日付表示領域ＭＪ−３と、営業員のＩＤを表示する営業員ＩＤ表示領域ＭＪ−４と、営業員名を表示する営業員名表示領域ＭＪ−５と、現金での集金の金額を表示する現金金額表示領域ＭＪ−６と、小切手での集金の金額を表示する小切手金額表示領域ＭＪ−７と、小切手を資金化した日付を表示する資金化日付表示領域ＭＪ−８と、入金手数料を表示する入金手数料表示領域ＭＪ−９と、翌日扱いの現金での集金の件数および合計金額、小切手での集金の件数および合計金額、手数料の合計金額を表示する合計金額表示領域と、日付の表示領域と、営業員のＩＤの表示領域と、営業員名の表示領域と、現金での集金の金額の表示領域と、小切手での集金の金額の表示領域と、小切手を資金化した日付の表示領域と、入金手数料の表示領域とを含む翌日扱い入金明細表示領域ＭＪ−１０と、現金での集金の合計金額および件数の表示領域と、小切手での集金の合計金額および件数の表示領域と、現金と小切手との合計金額および件数の表示領域と、合計入金手数料の表示領域とを含む合計金額表示領域ＭＪ−１１とで構成されている。
【０１３２】
以上の図１２から図１６を参照して、ステップＳＡ−４からステップＳＡ−７までの処理を説明する。
【０１３３】
まず、保険会社の各所課の営業担当者は、保険会社用クライアント装置２５０の入力装置２９０を介して、予め保険会社用クライアント装置２５０の出力装置２６０（例えば、モニタ２６１など）に表示された図１２に示す保険会社管理部門の入金処理状況照会画面の出納担当営業所課表示選択領域ＭＥ−１から、入金処理の明細を照会する出納担当の営業所課を選択し、明細照会ボタンＭＥ−２を押す。
【０１３４】
ついで、保険料入金管理装置１００は、入金情報照会部１０２ｃ処理により、選択された出納担当の営業所課に対する図１３に示す出納担当の営業所課の入金処理状況照会画面を、保険会社用クライアント装置２５０の出力装置２６０（例えば、モニタ２６１など）に表示する。
【０１３５】
ついで、保険会社の各所課の営業担当者は、保険会社用クライアント装置２５０の入力装置２９０を介して、保険会社用クライアント装置２５０の出力装置２６０（例えば、モニタ２６１など）に表示された図１３に示す出納担当の営業所課の営業所課表示選択領域ＭＦ−１から、入金処理の明細を照会する営業所課を選択し、明細照会ボタンＭＦ−２を押す。
【０１３６】
ついで、保険料入金管理装置１００は、入金情報照会部１０２ｃ処理により、選択された営業所課に対する図１４または図１５に示す営業所課の入金処理状況照会画面を、保険会社用クライアント装置２５０の出力装置２６０（例えば、モニタ２６１など）に表示する。
【０１３７】
ついで、保険料入金管理装置１００は、入金情報照会部１０２ｃ処理により、図１４に示す営業所課の入金処理状況照会画面に対して、図１６に示す入金専用口座入金明細照会画面を保険会社用クライアント装置２５０の出力装置２６０（例えば、モニタ２６１など）に表示する。
【０１３８】
ついで、保険料入金管理装置１００は、入金情報照会部１０２ｃ処理により、営業員ＩＤに基づいて、図１４に示す営業所課の入金処理状況照会画面の入金情報と、図１６に示す入金専用口座入金明細照会画面の入金専用口座情報（入金明細情報）とを照合する（ステップＳＡ−４）。
【０１３９】
なお、図１５に示す営業所課の入金処理状況照会画面の入金情報は、ステップＳＡ−２にて営業員が入金専用口座に集金した現金を入金した際に発行される利用明細の入金専用口座情報（入金明細情報）と照会される。
【０１４０】
ついで、図１４に示す営業所課の入金処理状況照会画面の入金情報と、図１６に示す入金専用口座入金明細照会画面の入金専用口座情報（入金明細情報）とが一致する場合（ステップＳＡ−５）、保険料入金管理装置１００は、仮受金番号登録部１０２ｄの処理により、代理店ごとの仮受金番号を採番する（図１４に示す仮受金番号表示領域ＭＧ−１２参照。）（ステップＳＡ−６）。
【０１４１】
なお、図１５に示す営業所課の入金処理状況照会画面の入金情報と、ステップＳＡ−２にて営業員が入金専用口座に集金した現金を入金した際に発行される利用明細の入金専用口座情報（入金明細情報）とが一致する場合（ステップＳＡ−５）、保険会社の各所課の営業担当者は、図１５に示す営業所課の入金処理状況照会画面の仮受金番号採番ボタンＭＨ−１３を押し、仮受金番号を採番する。
【０１４２】
これにて、入金情報照会・仮受金番号採番処理が終了する。
【０１４３】
再び図７に戻り、保険料入金管理装置１００は、仮受金精算部１０２ｅの処理により、仮受金番号が採用されているデータについて、仮受金データを作成する（ステップＳＡ−８）。
【０１４４】
ついで、保険会社用クライアント装置２５０は、制御部２１０の処理により、仮受金データをホストにアップロードし、出納仮勘定データベースに反映させる（ステップＳＡ−９）。
【０１４５】
ここで、営業員は、入金処理状況照会画面を閲覧し、集計表に仮受金番号を記載してもよい。
【０１４６】
また、保険料入金管理装置１００は、仮受金精算部１０２ｅの処理により、ステップＳＡ−９にて反映された出納仮勘定データベースの仮受金を精算してもよい。
【０１４７】
また、保険料入金管理装置１００は、制御部１０２の処理により、仮受金を精算した分の金額を入金専用口座から保険会社契約口座へ振替えてもよい。
【０１４８】
（仮受金の精算処理）
ここで、仮受金番号が登録された入金情報について精算処理を実行する精算処理、すなわち、仮受金を精算した分の金額を入金専用口座から保険会社契約口座へ振替える処理（仮受金の精算処理）について、図１７から図２０を参照して詳細に説明する。
【０１４９】
まず、説明に用いる図である図１７から図２０について説明する。
【０１５０】
図１７は、本実施形態における保険会社管理部門内の出納担当の営業所課の入金額を保険会社契約口座に振替える画面（保険会社契約口座振替画面）の一例を示す図である。
【０１５１】
図１７に示すように、保険会社契約口座振替画面は、保険会社管理部門における出納担当の営業所課名を入金処理が完了済みか否かで色分けして、予め決められたグループごとに表示する出納担当営業所課表示領域ＭＫ−１と、入金処理が完了している出納担当の営業所課を表示する所課選択ボタンＭＫ−２と、入金処理が完了しているすべての出納担当の営業所課の入金額を保険会社契約口座へ振替えする全完了分振替ボタンＭＫ−３とで構成されている。
【０１５２】
また、図１８は、本実施形態における入金処理が完了している出納担当の営業所課を表示する画面（入金完了所課別保険会社契約口座振替画面）の一例を示す図である。
【０１５３】
図１８に示すように、入金完了所課別保険会社契約口座振替画面は、グループ番号を表示するグループ番号表示領域ＭＬ−１と、営業所課名を表示する営業所課名表示領域ＭＬ−２と、現金での入金額を表示する現金入金額表示領域ＭＬ−３と、振替する営業所課を選択する振替対象営業所課選択領域ＭＬ−４と、現金入金額表示領域ＭＬ−３に表示されている入金額の合計を表示する合計入金額表示領域ＭＬ−５と、振替を実行する実行ボタンＭＬ−６とで構成されている。
【０１５４】
また、図１９は、本実施形態における振替金額の合計を表示し、振替を実行する画面（振替実行画面）の一例を示す図である。
【０１５５】
図１９に示すように、振替実行画面は、振替金額の合計を表示する振替金額合計表示領域ＭＭ−１と、振替を実行する振替実行ボタンＭＭ−２とで構成されている。
【０１５６】
また、図２０は、本実施形態における入金専用口座から保険会社契約口座への振替処理を模式的に示した図である。
【０１５７】
以上の図１７から図２０を参照して、仮受金の精算処理を説明する。
【０１５８】
まず、保険会社の各所課の営業担当者は、保険会社用クライアント装置２５０の入力装置２９０を介して、予め保険会社用クライアント装置２５０の出力装置２６０（例えば、モニタ２６１など）に表示された図１７に示す保険会社契約口座振替画面から入金処理が完了している出納担当の営業所課を表示する所課選択ボタンＭＫ−２を押す。
【０１５９】
ついで、保険料入金管理装置１００は、制御部１０２の処理により、保険会社用クライアント装置２５０の出力装置２６０（例えば、モニタ２６１など）に図１８に示す入金完了所課別保険会社契約口座振替画面を表示する。
【０１６０】
ついで、保険会社の各所課の営業担当者は、保険会社用クライアント装置２５０の入力装置２９０を介して、保険会社用クライアント装置２５０の出力装置２６０（例えば、モニタ２６１など）に表示された図１８に示す入金完了所課別保険会社契約口座振替画面の振替対象営業所課選択領域ＭＬ−４から振替する営業所課を選択し、振替を実行する実行ボタンＭＬ−６を押す。
【０１６１】
ついで、保険料入金管理装置１００は、制御部１０２の処理により、保険会社用クライアント装置２５０の出力装置２６０（例えば、モニタ２６１など）に図１９に示す振替実行画面を表示する。
【０１６２】
ついで、保険会社の各所課の営業担当者は、保険会社用クライアント装置２５０の入力装置２９０を介して、保険会社用クライアント装置２５０の出力装置２６０（例えば、モニタ２６１など）に表示された図１９に示す振替実行画面の振替金額合計表示領域ＭＭ−１に表示されている振替金額合計を確認し、振替実行ボタンＭＭ−２を押す。
【０１６３】
ついで、保険料入金管理装置１００は、制御部１０２の処理により、図２０に示すようにＷｅｂ連動決済にて保険会社の入金専用口座から保険会社契約口座へ入金額を振替えする。
【０１６４】
これにて、仮受金の精算処理が終了する。
【０１６５】
以上、メイン処理が終了する。
【０１６６】
［実施例］
つぎに、実施例について、図２１を参照して説明する。なお、本実施例においては、自賠責保険を扱う保険会社に本システムを適用した場合を一例に説明する。
【０１６７】
図２１は、本実施例における本システムを適用した場合の処理フローを示す図である。
【０１６８】
まず、保険料入金管理装置１００は、営業員が担当する代理店を選択する画面（本実施形態における代理店選択画面（図８）参照。）を、当該営業員が所持する営業員用クライアント装置２００の出力装置２６０（例えば、モニタ２６１など）に表示する（ステップＳＢ−１）。
【０１６９】
ついで、営業員は、営業員用クライアント装置２００の入力装置２９０を介して、営業員用クライアント装置２００の出力装置２６０（例えば、モニタ２６１など）に表示された代理店選択画面から代理店を選択する（本実施形態における代理店選択画面（図８）の代理店選択ボタン群ＭＡ−１から代理店を選択する。）。
【０１７０】
ついで、保険料入金管理装置１００は、選択された代理店に対する集金情報（例えば、集金件数、受取金額など）を登録する画面（本実施形態における集金情報登録画面（図９）参照。）を営業員用クライアント装置２００の出力装置２６０（例えば、モニタ２６１など）に表示する。
【０１７１】
ついで、営業員は、営業員用クライアント装置２００の入力装置２９０を介して、営業員用クライアント装置２００の出力装置２６０（例えば、モニタ２６１など）に表示された集金情報登録画面（本実施形態における集金情報登録画面（図９）参照。）に、集金件数および受取金額を入力（本実施形態における集金情報登録画面（図９）の集金件数入力領域ＭＢ−１および、受取金額入力領域ＭＢ−２に入力）して、確定ボタン（本実施形態における集金情報登録画面（図９）の確定ボタンＭＢ−３）を押し、保険料入金管理装置１００に対して代理店ごとの集金情報の登録を指示する（ステップＳＢ−２）。
【０１７２】
ついで、保険料入金管理装置１００は、営業員用クライアント装置２００から登録指示された、代理店ごとの集金情報を登録する（本実施形態における集金情報登録部１０２ａの処理に対応。）。
【０１７３】
ついで、営業員は、金融機関システム４００の入金専用口座を用いて入金する。
【０１７４】
ついで、保険料入金管理装置１００は、入金情報（例えば、入金完了通知（例えば、入金済みか否かなど）など）を登録する（本実施形態における入金情報登録部１０２ｂの処理に対応。）。
【０１７５】
すなわち、保険料入金管理装置１００は、登録された集金情報に基づいて、代理店ごとの受取金額を営業員用クライアント装置２００の出力装置２６０（例えば、モニタ２６１など）に表示する（本実施形態における代理店別受取金額表示画面（図１０）参照。）（ステップＳＢ−３）。
【０１７６】
ついで、営業員は、営業員用クライアント装置２００の入力装置２９０を介して、営業員用クライアント装置２００の出力装置２６０に表示された代理店別受取金額表示画面の通知画面表示ボタン（本実施形態における代理店別受取金額表示画面（図１０）の通知画面表示ボタンＭＣ−２）を押し、保険料入金管理装置１００に対して入金完了を通知する画面（本実施形態における入金完了通知画面（図１１）参照。）の表示を指示する。
【０１７７】
ついで、保険料入金管理装置１００は、営業員用クライアント装置２００から表示指示された入金完了通知画面（本実施形態における入金完了通知画面（図１１）参照。）を、営業員用クライアント装置２００の出力装置２６０（例えば、モニタ２６１など）に表示する。
【０１７８】
ついで、営業員は、営業員用クライアント装置２００の入力装置２９０を介して、営業員用クライアント装置２００の出力装置２６０（例えば、モニタ２６１など）に表示された入金完了通知画面の入金完了ボタン（本実施形態における入金完了通知画面（図１１）の）入金完了ボタンＭＤ−２参照。）を押し、保険料入金管理装置１００に対して入金完了を指示する（ステップＳＢ−４）。
【０１７９】
ついで、保険料入金管理装置１００は、営業員ＩＤに基づいて、登録された入金情報と、入金専用口座情報（入金明細情報）とを照会する（本実施形態における入金情報照会部１０２ｃの処理に対応。）（ステップＳＢ−５）。
【０１８０】
ついで、登録された入金情報と、入金専用口座情報（入金明細情報）とが一致する場合、保険料入金管理装置１００は、代理店ごとの仮受金番号を採番する（本実施形態における仮受金番号登録部１０２ｄの処理に対応。）。
【０１８１】
また、登録された入金情報と、入金専用口座情報（入金明細情報）とが一致しない場合、保険料入金管理装置１００に表示される入金処理状況を照会する画面（本実施形態における入金処理状況照会画面（図１４および図１５）参照。）を参照して、間違いの原因を切り分けし、修正を行う。
【０１８２】
ついで、保険料入金管理装置１００は、保険会社用クライアント装置２５０に対して、仮受金番号が採用されているデータに関する仮受金データを作成する（本実施形態における仮受金精算部１０２ｅの処理に対応。）（ステップＳＢ−６）。
【０１８３】
ついで、保険会社用クライアント装置２５０は、仮受金データをホストにアップロードし、出納仮勘定データベースに反映させる（本実施形態における保険会社用クライアント装置２５０の制御部２１０の処理に対応。）（ステップＳＢ−７）。
【０１８４】
ついで、営業員は、入金処理状況を照会する画面（本実施形態における入金処理状況照会画面（図１４または図１５）参照。）を閲覧し、集計表に仮受金番号を記載する（ステップＳＢ−８）。
【０１８５】
ついで、保険料入金管理装置１００は、自賠責オンライン入力によりステップＳＢ−７にて反映された出納仮勘定データベースの仮受金を精算する（本実施形態における仮受金精算部１０２ｅの処理に対応。）（ステップＳＢ−９）。
【０１８６】
さらに、営業員は、１日の締めとしての処理完了を保険料入金管理装置１００に通知する（ステップＳＢ−１０）。
【０１８７】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１８８】
例えば、保険料入金管理装置１００、営業員用クライアント装置２００、保険会社用クライアント装置２５０がスタンドアローンの形態で処理を行う場合を一例に説明したが、保険料入金管理装置１００、営業員用クライアント装置２００、保険会社用クライアント装置２５０とは別筐体で構成されるクライアント端末からの要求に応じて処理を行い、その処理結果を当該クライアント端末に返却するように構成してもよい。
【０１８９】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１９０】
この他、上記文書中や図面中で示した処理手順、制御手順、具体的名称、各種の登録データや検索条件等のパラメータを含む情報、画面例、データベース構成については、特記する場合を除いて任意に変更することができる。
【０１９１】
また、保険料入金管理装置１００、営業員用クライアント装置２００、保険会社用クライアント装置２５０に関して、図示の各構成要素は機能概念的なものであり、必ずしも物理的に図示の如く構成されていることを要しない。
【０１９２】
例えば、保険料入金管理装置１００、営業員用クライアント装置２００、保険会社用クライアント装置２５０の各部または各装置が備える処理機能、特に制御部１０２、制御部２１０にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて保険料入金管理装置１００、営業員用クライアント装置２００、保険会社用クライアント装置２５０に機械的に読み取られる。
【０１９３】
すなわち、ＲＯＭまたはＨＤなどの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１０２を構成する。また、このコンピュータプログラムは、保険料入金管理装置１００、営業員用クライアント装置２００、保険会社用クライアント装置２５０に対して任意のネットワーク３００を介して接続されたアプリケーションプログラムサーバに記録されてもよく、必要に応じてその全部または一部をダウンロードすることも可能である。
【０１９４】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１９５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１９６】
記憶部１０６に格納される各種のファイル等（保険会社管理データベース１０６ａ〜保険料回収情報データベース１０６ｃ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１９７】
また、保険料入金管理装置１００、営業員用クライアント装置２００、保険会社用クライアント装置２５０は、既知のパーソナルコンピュータ、ワークステーション等の情報処理端末等の情報処理装置および携帯型の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１９８】
さらに、保険料入金管理装置１００、営業員用クライアント装置２００、保険会社用クライアント装置２５０の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１９９】
また、ネットワーク３００は、保険料入金管理装置１００と、営業員用クライアント装置２００と、保険会社用クライアント装置２５０とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０２００】
【発明の効果】
以上詳細に説明したように、本発明によれば、保険会社の各営業員に対応する営業員ＩＤ、保険会社の各代理店に対応する代理店ＩＤ、集金件数、集金金額を含む集金情報を登録し、営業員ＩＤ、営業員が当日集金した保険料を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、代理店ＩＤ毎に仮受金番号を採番し入金情報に登録し、仮受金番号が登録された入金情報について精算処理を実行するので、集金を担当する営業員による各代理店からの自賠責保険などの現金あるいは小切手の集金に伴う、事務処理について効率化・削減を行うことができる保険料入金管理装置、保険料入金管理方法、プログラム、および、記録媒体を提供することができる。
【０２０１】
また、本発明によれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる保険料入金管理装置、保険料入金管理方法、プログラム、および、記録媒体を提供することができる。
【０２０２】
また、本発明によれば、商品委託者の各営業員に対応する営業員ＩＤ、商品委託者の各販売代理者に対応する販売代理者ＩＤ、集金件数、集金金額を含む集金情報を登録し、営業員ＩＤ、営業員が当日集金した商品代金を入金した入金専用口座番号、入金専用口座番号に対する入金額を含む入金情報を登録し、入金専用口座に対する入金明細情報を取得し、営業員ＩＤに基づいて、当該入金明細情報と入金情報とを照会し、正常に照会された場合に、販売代理者ＩＤ毎に仮受金番号を採番し入金情報に登録し、仮受金番号が登録された入金情報について精算処理を実行するので、集金を担当する営業員による各販売代理店からの商品代金の現金あるいは小切手の集金に伴う、事務処理について効率化・削減を行うことができる商品代金入金管理装置、商品代金入金管理方法、プログラム、および、記録媒体を提供することができる。
【０２０３】
また、本発明によれば、入金明細情報は、営業員ＩＤ、および、入金専用口座に対する入金額に関する情報を含むので、銀行や郵貯などの金融機関が提供する入金専用口座を用いてその入金者のＩＤ（営業員ＩＤ）を特定することができる商品代金入金管理装置、商品代金入金管理方法、プログラム、および、記録媒体を提供することができる。
【図面の簡単な説明】
【図１】本発明が適用される本システムの全体構成の一例を示す図である。
【図２】本発明が適用される保険料入金管理装置１００の構成の一例を示すブロック図である。
【図３】保険会社管理データベース１０６ａに格納される保険会社情報の一例を示す図である。
【図４】営業員管理データベース１０６ｂに格納される営業員情報の一例を示す図である。
【図５】保険料回収情報管理データベース１０６ｃに格納される情報の一例を示す図である。
【図６】本発明が適用される営業員用クライアント装置２００（保険会社用クライアント装置２５０）の構成の一例を示すブロック図ある。
【図７】本実施形態における本保険料入金管理システムのメイン処理の一例を示すフローチャートである。
【図８】本実施形態における代理店選択画面の一例を示す図である。
【図９】本実施形態における集金情報登録画面の一例を示す図である。
【図１０】本実施形態における代理店別受取金額表示画面の一例を示す図である。
【図１１】本実施形態における入金完了通知画面の一例を示す図である。
【図１２】本実施形態における保険会社管理部門内の出納担当の営業所課の入金処理状況を照会する画面（保険会社管理部門の入金処理状況照会画面）の一例を示す図である。
【図１３】本実施形態における出納担当の営業所課内の営業所課の入金処理状況を照会する画面（出納担当の営業所課の入金処理状況照会画面）の一例を示す図である。
【図１４】本実施形態における営業所課の入金処理状況を照会する画面（営業所課の入金処理状況照会画面）の一例を示す図である。
【図１５】本実施形態における営業所課の入金処理状況を照会する画面（営業所課の入金処理状況照会画面）の別の一例を示す図である。
【図１６】本実施形態における入金専用口座の入金明細を照会する画面（入金専用口座入金明細照会画面）の一例を示す図である。
【図１７】本実施形態における保険会社管理部門内の出納担当の営業所課の入金額を保険会社契約口座に振替える画面（保険会社契約口座振替画面）の一例を示す図である。
【図１８】本実施形態における入金処理が完了している出納担当の営業所課を表示する画面（入金完了所課別保険会社契約口座振替画面）の一例を示す図である。
【図１９】本実施形態における振替金額の合計を表示し、振替を実行する画面（振替実行画面）の一例を示す図である。
【図２０】本実施形態における入金専用口座から保険会社契約口座への振替処理を模式的に示した図である。
【図２１】本実施例における本システムを適用した場合の処理フローを示す図である。
【符号の説明】
１００  保険料入金管理装置
１０２  制御部
１０２ａ  集金情報登録部
１０２ｂ  入金情報登録部
１０２ｃ  入金情報照会部
１０２ｄ  仮受金番号登録部
１０２ｅ  仮受金精算部
１０４  通信制御インターフェース部
１０６  記憶部
１０６ａ  保険会社管理データベース
１０６ｂ  営業員管理データベース
１０６ｃ  保険料回収情報管理データベース
１０８  入出力制御インターフェース部
１１２  入力装置
１１４  出力装置
２００  営業員用クライアント装置
２１０  制御部
２１１  ＷＥＢブラウザ
２１２  電子メーラ
２２０  ＲＯＭ
２３０  ＨＤ
２４０  ＲＡＭ
２６０  出力装置
２６１  モニタ
２６２  プリンタ
２７０  入出力制御インターフェース
２８０  通信制御インターフェース
２９０  入力装置
２５０  保険会社用クライアント装置
２１０  制御部
２１１  ＷＥＢブラウザ
２１２  電子メーラ
２２０  ＲＯＭ
２３０  ＨＤ
２４０  ＲＡＭ
２６０  出力装置
２６１  モニタ
２６２  プリンタ
２７０  入出力制御インターフェース
２８０  通信制御インターフェース
２９０  入力装置
３００  ネットワーク
【図１】
2004326320.tif 000003
【図２】
2004326320.tif 000004
【図３】
2004326320.tif 000005
【図４】
2004326320.tif 000006
【図５】
2004326320.tif 000007
【図６】
2004326320.tif 000008
【図７】
2004326320.tif 000009
【図８】
2004326320.tif 000010
【図９】
2004326320.tif 000011
【図１０】
2004326320.tif 000012
【図１１】
2004326320.tif 000013
【図１２】
2004326320.tif 000014
【図１３】
2004326320.tif 000015
【図１４】
2004326320.tif 000016
【図１５】
2004326320.tif 000017
【図１６】
2004326320.tif 000018
【図１７】
2004326320.tif 000019
【図１８】
2004326320.tif 000020
【図１９】
2004326320.tif 000021
【図２０】
2004326320.tif 000022
【図２１】
2004326320.tif 000023